(57)【特許請求の範囲】
【請求項１】
家具等の設置物の脚部材であって、透明又は半透明の樹脂からなる柱状の脚本体（以下、透明本体という）と、その透明本体の下部に形成されて床面に接地する接地部とを備え、
前記透明本体の上部には、取付金具を介して前記設置物が固定されると共に、
前記透明本体の下部には、床面に接地するアジャスタのねじ込み量により透明本体の上端から床面までの脚長を調整するアジャスタ受部が埋め込まれ、
このアジャスタ受部とアジャスタとは、いずれも短軸状で同一の横断面形状を有する金具とされ、
前記透明本体の下部に埋め込まれるアジャスタ受部の外周面には透明本体との一体性を高める浅い溝群が形成され、かつ、前記アジャスタの外周にもアジャスタ受部の外周面と同様な浅い溝群が形成されており、
脚の存在を意識させずに床面から浮いてみえる設置物に対して、前記アジャスタがアジャスタ受部に接近限度までねじ込まれた状態で、脚を構成する透明本体の下端のアジャスタ受部とアジャスタとが一つの軸部材の形態を呈しながら、この溝群が外部から透明本体を介して透視されていることを特徴とする設置物脚部材。
【請求項２】
前記透明本体の上部には、取付対象を固定する固定ねじ部材が締め込まれる受けねじ部が、透明本体の上部に直接形成され、又は透明本体の上部に埋め込まれた、透明本体を介して外部から透視される固定ナット部に形成された請求項１に記載の設置物脚部材。
【請求項３】
請求項１又は２に記載の脚部材が設置物の底部に固定されてなる脚付き設置物。
【発明の詳細な説明】
【０００１】
【発明の属する技術分野】
この発明は、家具例えばシステムキッチン（キッチン台）等の厨房設備等に用いられる脚部材並びにそのような脚部材を備えた脚付き設置物に関する。
【０００２】
【従来の技術】
従来、厨房家具等の設置物の脚部材は、設置物の重量を支える点から強度を重視した金属製や木製、あるいは樹脂製等のものが用いられているが、設置物の荷重を支えることに主眼がおかれ、視覚的な観点からの配慮は乏しかった。
【０００３】
【発明が解決しようとする課題】
この発明は、設置物の荷重を支える構造物として、また視覚性を高めるディスプレイ的な性格を付与した脚部材及び脚付き設置物を提供することにある。
【０００４】
【課題を解決するための手段及び発明の効果】
この発明は、家具等の設置物の脚部材であって、透明又は半透明の樹脂からなる柱状の脚本体（以下、透明本体という）と、その透明本体の下部に形成されて床面に接地する接地部とを備え、透明本体の上部には、取付金具を介して設置物が固定されている。
【０００５】
このような透明本体により、設置物の脚がその重量を支持する支持脚としての性格のみならず、脚部材の存在を意識させないような、さらに言えば設置物があたかも床面から浮いて見えるような視覚的効果を有するディスプレイ部材としての性格をも有する斬新な脚部材となる。そして、これを備える脚付き設置物は従来の脚付き家具とは全く異なる感性を持ったものとなる。
【０００６】
さらに、前記透明本体の下部には、床面に接地するアジャスタのねじ込み量により透明本体の上端から床面までの脚長を調整するアジャスタ受部が埋め込まれて、このアジャスタ受部とアジャスタとは、いずれも短軸状で同一の横断面形状を有する金具とされ、透明本体の下部に埋め込まれるアジャスタ受部の外周面には透明本体との一体性を高める浅い溝群が形成され、かつ、アジャスタの外周にもアジャスタ受部の外周面と同様な浅い溝群が形成されており、脚の存在を意識させずに床面から浮いてみえる設置物に対して、アジャスタがアジャスタ受部に接近限度までねじ込まれた状態で、脚を構成する透明本体の下端のアジャスタ受部とアジャスタとが一つの軸部材の形態を呈しながら、この溝群が外部から透明本体を介して透視されていることを特徴とする。
【０００７】
これにより、透明本体の上端から床面までの脚長が調整できるのみならず、透明本体の下部に埋め込まれたアジャスタ受部が、その透明本体を介して外部から透視され、従来にない斬新な感覚の脚部材となる。
【０００８】
さらに、透明本体の下部に埋め込まれたアジャスタ部材と、これに螺合されたアジャスタとが、一つの軸部材の形態を呈するようになっているから、脚長を調整するというアジャスタの機能を備えながら、そのような機械的な構造を意識させず、アジャスタ機能部が透明本体にとけ込んだ一層斬新な形態となる。
【０００９】
【発明の実施の形態】
以下、本発明の実施の形態を図面に示す実施例を参照しつつ説明する。
図１は、例えばアクリル樹脂等の透明樹脂からなる脚本体１（以下、透明本体ともいう）を示すものである。透明本体１は、断面が方形の角柱状をなし、上端から下端に向かって少しずつ細くなるようなテーパが付されている。そのテーパ各θは例えば１〜５°程度、好ましくは２〜４°程度とすることができる。
【００１０】
透明本体１の下部にはアジャスタ機構の受側を構成するアジャスタ用埋込ナット部２が埋め込まれている。例えば透明本体１がアクリル樹脂等により成形される際に、埋込ナット部２がその透明樹脂中にインサート成形されるか、あるいは透明本体１がその下面に開口する凹部を有するように成形されたのち、その凹部に埋込ナット部２が圧入等により嵌合されてもよい。
【００１１】
この埋込ナット部２は、図２に示すように、内側に雌ねじ孔３を有し、この雌ねじ孔３が下方に開口するように、かつこの開口端と透明本体１の下端とがほぼ面一になるように埋め込まれており、外周面は円筒面状をなし、その外周面にはローレット掛け等により例えば多数の交差する浅い溝群４（微小な凹凸）が形成されている。この溝群４は透明本体１との一体性を高めるとともに、透明本体１からこの溝群が透視されることにより斬新な意匠的効果も発揮する。
【００１２】
この埋込ナット部２には、アジャスタボルト（以下、単にアジャスタという）５が螺合されている。アジャスタ５は、図３に示すように、円筒状の外周面を有するつまみ部６と、このつまみ部６と同心的に連続する雄ねじ部７とを有し、つまみ部６の外周面は埋込ナット部２の外周面と同様な多数の交差する溝群８（微小な凹凸）が形成されている。アジャスタ５は、埋込ナット部２の雌ねじ孔３に自身の雄ねじ部７において螺合され、そのねじ込み量の調整により透明本体１の上端からアジャスタ５の下端までの脚長を調整するものである。
【００１３】
アジャスタ５と埋込ナット部２の各外周面は、同一の直径及び同一の横断面形状、さらにその外周面の同様な溝群（凹凸）を備え、アジャスタ５がねじ込み限度までねじ込まれた状態では、アジャスタ５のつまみ部６の内端（肩面）が埋込ナット部２の開口端面に接触もしくはごく近接し、埋込ナット部２とアジャスタ５とがあたかも一つの円柱状部材の形態をなす。
【００１４】
透明本体１の上端部には、金具取付用の埋込ナット部１０が埋め込まれている。この埋込ナット部１０は、図４に示すように、中心部に行き止まりの雌ねじ孔１１が形成された円柱状の金具であり、その円柱状の外周面には、透明本体１の下端部に位置する埋込ナット部２及びアジャスタ５の外周面に形成された溝群と同様の細かく交差する溝群が形成され、この溝群（微小な凹凸）は、透明本体１との一体性を高める（透明樹脂がその微小な凹凸に入りこむようなインサート成形ができる）とともに、この溝群が透明本体１を介して外部から視認され、意匠効果を高める。
【００１５】
この上部の埋込ナット部１０は、下部の埋込ナット部２とほぼ同じ直径の円柱状部材で、その外周面に同様な溝群が形成され、しかも上部の埋込ナット部１０と下部の埋込ナット部２（アジャスタ５）とは透明本体１の中心線上に同心的に位置する。従って、透明本体１内で下部の埋込ナット部２及びアジャスタ５と上部の埋込ナット部１０とが、透明本体１の透明空間を隔てて互いに対向した形態となる。かつ、アジャスタ５が締込限度まで締め込まれた状態で、アジャスタ５の下端から下部の埋込ナット部２の上端までの長さと、上部の埋込ナット部１０の長さとがほぼ等しくされているところから、上下であたかも同一の円柱状部材が配置された形態となり、アジャスタ機能を有すること及び金具を取り付けることという機械構造的な機能を超えた形態の美しさを呈する。
【００１６】
この上部の金具取付用の埋込ナット部１０に対し、家具本体（取付対象）への取付金具１３（図５）を介して、固定用の締結部材であるビス９が締め込まれ、図５（ｂ）、（ｃ）に示すように、取付金具１３が透明本体１と一体化される。取付金具１３は図６及び図７に示すように、透明本体１の上部に固定される脚固定部１４と、そこから同一面で側方へ延び出た延長部１５とを有する。脚固定部１４には透明本体１の上端を嵌め入れる浅い凹部１６が形成される。この凹部１６に脚本体１の上端部が着座して、金具１３と透明本体１との位置決めがなされた状態で、前述のビス９が金具１３の、上記凹部１６の中心部に形成されたビス孔１７を経て、脚本体１の埋込ナット部１０に締め込まれることにより、金具１３と脚本体１とが一体化される。そして、脚固定部１４には、金具１３を家具本体の底部に固定するための締結部材（ビス、ボルト等）を通す孔（ビス孔）１８が、例えば凹部１６の四隅に対応して形成されている。また、延長部１５にも別のビス孔１９が形成されている。なお、延長部１５にも、浅い凹部２０が脚固定部１４の凹部１６と隣り合って補強のために形成されている。
【００１７】
図８（ａ）は、以上のような透明本体１を主体とする脚部材２１を家具本体２２の底部に取り付けて脚付のキッチン家具とした場合を示したものである。同図（ａ）に示すように、単独の家具２２の底部の、例えば四隅等に脚部材２１を取り付ける場合には、図６の取付金具１３の延長部１５の側端が家具本体の側面から突出しないように、その底部に位置決めし、例えば脚固定部１４の近傍のビス孔１８（例えば４本）にビスを入れて固定することができる。これにより脚部材２１が家具本体２２の側面から一定量内側に入り込んだところに位置し、バランスがよいものとなる。
【００１８】
一方、脚部材２１を２つ又はそれ以上の家具２２を連結した複合家具の境界に用いる場合は、それら隣り合う家具２２に跨るようにする。そして、取付金具１３を配し、その境界部上に脚部材２１が位置するようにして、例えば脚固定部１４の外縁側の２本のビス１８と、延長部１５の２個のビス孔１９とにビスを入れて金具１３を２つの家具２２に跨って固定することにより、互いに連結すべき隣り合う家具同士を横方向に連結しつつ、それらに共通の脚部材２１とすることができる。
【００１９】
図９はこの発明の別の実施例として、前述の実施例が比較的短いもの（例えば１０〜２０ｃｍ程度）であったのに対し、これより相当長い（例えば５０〜８０ｃｍ程度）の脚部材の例を示すものである。この脚部材は長尺の透明本体３１を有し、透明本体３１は前述の実施例と同様、アクリル樹脂等の透明樹脂で成形され、横断面が多角形（例えば正方形状）とされた角柱状の部材である。最も長い中間部分は正四角柱状の部分であり、下側は漸次先細りとなるテーパが付されている。また、透明本体３１の上端部分は中間部分より相似的に大きさが縮小されて、取付金具の嵌合部３３とされている。
【００２０】
下側部分が先細りのテーパ状に形成されたその下端部には、図２に示したアジャスタ用埋込ナット部２と同様の埋込ナット部３２が透明樹脂中に埋め込まれ、またその埋込ナット部３２に図３に示したアジャスタボルト５（アジャスタ）と同様なアジャスタ３５がねじ込まれ、そのアジャスタ３５の下端から透明本体３１の上端までの脚長が、アジャスタ３５のねじ込み量により調整されるようになっている。これら埋込ナット部３２及びアジャスタ３５は、図１に示した埋込ナット部２とアジャスタ５と全く同様であるため繰り返し説明はしないが、この実施例でも透明本体３１の下部に埋込ナット部３２の外周面の凹凸（ローレット掛の交差溝等）が透視され、かつこれにアジャスタ３５がねじ込まれて、あたかも一つの円柱状部材を構成するような斬新な形態となる。
【００２１】
透明本体３１の上端部の金具嵌合部３３には、互いに平行に対向する２平面の外面から、それぞれ雌ねじ孔３６が透明本体３１の樹脂中に形成されている。この嵌合部３３に、図１０に示すように、筒状（例えば四角筒状）の筒状部３７及びその上端に形成されたフランジ３８を有する取付金具３９が嵌合され、外側から上述の雌ねじ孔３６にそれぞれ締め込まれた複数本（例えば４本）のボルト４０により、取付金具３９と透明本体３１とが一体化される。この取付金具３９は、図１１に示すように、その筒状部３７の側壁を貫通してボルト挿通孔４１を備え、これらのボルト挿通孔４１は、筒状部３７が透明本体３１の嵌合部３３に嵌合された状態で、前述の雌ねじ孔３６と同軸的に対応するようになっていて、各ボルト４０は金具３９のボルト孔４１を経て、透明本体３１の雌ねじ孔３６に締め込まれる。
【００２２】
また、図１１に示すように、金具３９のフランジ部３８には、この金具３９を家具本体の底面等に固定する締結部材を挿通する複数の挿通孔（例えばビス孔又はボルト孔）４２、４３が形成されている。複数、例えば４個の挿通孔４２は、フランジ部３８の外側（例えば四隅）に対応して設けられ、複数（４個）の挿通孔４３はこれら挿通孔４２のそれぞれ中間に位置し、かつ筒状部３７の壁面に近接して設けられている。これらの挿通孔の全て又は適宜選択された挿通孔に通されるビスやボルト等により、取付金具３９ひいては上述の透明本体３１を主体とする脚部材４４（図１２）が、所定の家具本体、例えばテーブルの天板４５の底面に取り付けられて、脚付き家具となる。
【００２３】
なお、図１０に示すように、取付金具３９が透明本体３１に嵌合された状態で、取付金具３９の筒状部３７の外周面と透明本体３１の外周面とがほぼ面一となるように、透明本体３１側の嵌合部３３と取付金具３９側の筒状部３７との寸法関係が設定されている。これによって、透明本体３１と取付金具３９とが連続的に連なる形態を呈し、透明本体３１の透明感、その下部に埋め込まれたアジャスタ受け用のナット部３２及びアジャスタ３５、さらには上部の取付金具３９とが融合し、かつ一体感の強い形態となる。
【００２４】
以上の説明では、透明本体１、３１等を代表的に例示し、脚本体が透明樹脂で形成される場合を例にとったが、ここで「透明」は、無色透明でも、ある程度着色された透明でもよく、さらに半透明とされてもよい。半透明の場合は、例えば脚本体を構成する樹脂中に半透明成分を含有したり、あるいは脚本体の外周面に微小な凹凸を施して半透明とすることもできる。
【００２５】
また、透明本体１、３１等の形状は、４角形断面に限らず、例えば三角形、六角形等の他の多角形状、さらには円形、楕円等の断面を有する形状としてもよく、またテーパを付けないでストレートの角柱や円柱形状のものであってもよい。
【図面の簡単な説明】
【図１】本発明の一実施例である脚部材を示す図。
【図２】図１におけるアジャスタ用埋込ナット部を示す図。
【図３】図１におけるアジャスタボルト（アジャスタ）を示す図。
【図４】図１における金具取付用埋込ナット部を示す図。
【図５】図１の透明本体に取付金具を固定した状態の脚部材を示す図。
【図６】その取付金具の正面図及び平面図。
【図７】取付金具の側面図及び断面図。
【図８】上記実施例の脚部材の使用例を示す図。
【図９】この発明の別の実施例の脚部材を示す図。
【図１０】図９の透明本体に取付金具を固定した状態を示す図。
【図１１】その取付金具を示す図。
【図１２】図１０の脚部材をテーブルの天板に固定した状態の斜視図。
【符号の説明】
１、３１  透明本体（脚本体）
２、３２  アジャスタ用埋込ナット部
５、３５  アジャスタボルト（アジャスタ）
１０  金具取付用埋込ナット部
１３  取付金具
３３  嵌合部
３９  取付金具
【図１】
0003578270.tif 000002
【図２】
0003578270.tif 000003
【図３】
0003578270.tif 000004
【図４】
0003578270.tif 000005
【図５】
0003578270.tif 000006
【図６】
0003578270.tif 000007
【図７】
0003578270.tif 000008
【図８】
0003578270.tif 000009
【図９】
0003578270.tif 000010
【図１０】
0003578270.tif 000011
【図１１】
0003578270.tif 000012
【図１２】
0003578270.tif 000013